(57)【特許請求の範囲】
【請求項１】
狭指向性をもってアラーム音を放音するスピーカと、
このスピーカを搭載して前記スピーカの向きを移動可能に変更する移動機構部と、
予め設定されたアラーム時刻に前記移動機構部を駆動させて前記スピーカを予め設定された向きに向け、この状態で前記スピーカからアラーム音を発生させる指示をする制御部と、
予め設定された複数のアラーム時刻と、この複数のアラーム時刻のそれぞれに対応する前記スピーカの向きを変更するための回転方向情報及び駆動パルス数情報並びにアラーム音量と、を前記複数のアラーム時刻ごとにそれぞれ記憶する記憶部と、
を備えていることを特徴とするアラーム装置。
【請求項２】
請求項１に記載のアラーム装置において、前記移動機構部は、ベース部材と、このベース部材に搭載されて第１モータによって水平方向に回転移動する第１移動ユニットと、この第１移動ユニットに搭載されて第２モータによって上下方向に回転移動する第２移動ユニットとを備えており、この第２移動ユニットには、前記スピーカが搭載されていることを特徴とするアラーム装置。
【請求項３】
請求項１または請求項２に記載のアラーム装置において、前記移動機構部に搭載された前記スピーカの基準位置を光学的に検出する基準位置検出部を備えていることを特徴とするアラーム装置。
【請求項４】
請求項３に記載のアラーム装置において、前記基準位置検出部は、前記スピーカが搭載された前記第２移動ユニットに設けられた第１光学部と、前記第１移動ユニットが搭載される前記ベース部材に設けられた第２光学部と、を備えていることを特徴とするアラーム装置。
【請求項５】
請求項２〜請求項４のいずれかに記載のアラーム装置において、前記記憶部に記憶されている前記回転方向情報及び前記駆動パルス数情報は、前記第１モータに適用される前記回転方向情報及び前記駆動パルス数情報と、前記第２モータに適用される前記回転方向情報及び前記駆動パルス数情報と、を含むことを特徴とするアラーム装置。
【請求項６】
請求項１〜請求項５のいずれかに記載のアラーム装置において、遠隔操作部の操作に応じて送信されたアラーム時刻および前記スピーカの向きを変更するための前記スピーカの移動情報を取込む受信部を備えていることを特徴とするアラーム装置。
【請求項７】
請求項１〜請求項６のいずれかに記載のアラーム装置において、前記制御部は、現在時刻が前記複数のアラーム時刻のいずれかと一致した際に、前記記憶部に記憶された前記現在時刻と一致する前記アラーム時刻に対応する前記スピーカの前記移動情報を読み出し、この読み出した前記移動情報に基づいて前記第１、第２の各モータを駆動させて、前記スピーカを前記現在時刻と一致する前記アラーム時刻に対応する向きに向け、この状態で前記スピーカからアラーム音を発生させることを特徴とするアラーム装置。
【発明の詳細な説明】
【技術分野】
【０００１】
この発明は、目覚まし時計や掛け時計などの時計に用いられるアラーム装置に関する。
【背景技術】
【０００２】
例えば、目覚まし時計は、一般に、就眠している人の枕元において使用するためのものであり、アラーム音の広がりが大きく、部屋の中の何処にいてもアラーム音が聞こえるように構成されている。このため、部屋の中に家族などの複数の人が就眠している場合には、それぞれ起床時間が異なっていても、最初のアラーム音によって部屋の中にいる全ての人を起してしまう。
【０００３】
そこで、このような問題を解消するために、特許文献１に記載されているように、時計に耳掛けフックを設け、この耳掛けフックによって時計を使用者の耳に引っ掛けて使用するタイプの目覚まし時計が開発されている。
【先行技術文献】
【特許文献】
【０００４】
【特許文献１】特開２００５−３１０５６号公報
【発明の概要】
【発明が解決しようとする課題】
【０００５】
しかしながら、このような耳掛けタイプの時計では、就眠する際に使用者の耳に引っ掛けているので、他の人の迷惑にならないように、使用者本人のみがアラーム音を聞くことができても、就眠中に時計が耳から脱落してしまい、アラーム音を確実に聞くことができないという不都合があるほか、部屋の中にいる複数の人それぞれが、起床時間にアラーム音を発生する耳掛けタイプの時計を持つ必要があるという問題がある。
【０００６】
この発明が解決しようとする課題は、同室の複数の人のうち、特定の人のみを選択してアラーム音を聞かせることができるアラーム装置を提供することである。
【課題を解決するための手段】
【０００７】
この発明は、狭指向性をもってアラーム音を放音するスピーカと、このスピーカを搭載
して前記スピーカの向きを移動可能に変更する移動機構部と、予め設定されたアラーム時
刻に前記移動機構部を駆動させて前記スピーカを予め設定された向きに向け、この状態で
前記スピーカからアラーム音を発生させる指示をする制御部と、予め設定された複数のアラーム時刻と、この複数のアラーム時刻のそれぞれに対応する前記スピーカの向きを変更するための回転方向情報及び駆動パルス数情報並びにアラーム音量と、を前記複数のアラーム時刻ごとにそれぞれ記憶する記憶部と、を備えていることを特徴
とするアラーム装置である。
【発明の効果】
【０００８】
この発明によれば、アラーム時刻になると、制御部が移動機構部を駆動させてスピーカを予め設定された向きに向け、この状態で狭指向性をもってスピーカからアラーム音を放音することができる。このため、複数の人が同じ部屋で就眠していても、他の人に迷惑をかけずに、特定の人のみを選択し、この選択した人のみにアラーム音を確実に聞かせることができる。
【図面の簡単な説明】
【０００９】
【図１】この発明を掛け時計に適用した実施形態１を示した斜視図である。
【図２】図１に示された掛け時計のアラーム装置を示した拡大斜視図である。
【図３】図２に示されたアラーム装置を分解して示した拡大斜視図である。
【図４】図２に示されたアラーム装置の基準位置検出部による位置検出状態を示した要部の拡大図である。
【図５】図１に示された掛け時計の回路構成を示したブロック図である。
【図６】図５に示された掛け時計の回路構成におけるＲＡＭの作業テーブルを示した図である。
【図７】図５に示された掛け時計の時計動作における割り込み処理の動作フローを示した図である。
【図８】図７に示された割り込み処理であるアラーム処理の動作フローを示した図である。
【図９】図８に示されたアラーム設定処理の動作フローを示した図である。
【図１０】図８に示されたイニシャル処理の動作フローを示した図である。
【図１１】図８に示されたアラーム報知処理の動作フローを示した図である。
【図１２】この発明を掛け時計に適用した実施形態２におけるアラーム装置を示した拡大斜視図である。
【図１３】図１２に示されたアラーム装置の基準位置検出部によって基準位置を検出するイニシャル処理の動作フローを示した図である。
【発明を実施するための形態】
【００１０】
（実施形態１）
以下、図１〜図１１を参照して、この発明を指針式の掛け時計に適用した実施形態１について説明する。
この掛け時計は、図１に示すように、時計ケース１内に時計機構部（図示せず）を備え、この時計機構部によって時針２ａ、分針２ｂ、秒針２ｃなどの指針２を文字板３上で運針させて時刻を指示するように構成されている。
【００１１】
また、この掛け時計は、図１に示すように、リモートコントローラ（以下、リモコン（図示せず）と称する）の操作によってアラーム時刻が設定されるように構成されている。すなわち、時計ケース１の一部、例えば時計ケース１の右下部にはリモコン受信部４が設けられており、時計ケース１内の文字板３の一部、例えば文字板３の左下部には表示部５が設けられている。
【００１２】
リモコン受信部４は、リモコンの操作に応じた情報を受信するように構成されている。表示部５は、液晶表示パネルやＥＬ（エレクトロ・ルミネッセンス）表示パネルなどの平面型の表示パネルからなり、リモコン受信部４で受信した情報に基づくアラーム時刻などのアラーム情報や、現在時刻などの時刻情報など、時計としての各種の情報を電気光学的に表示するように構成されている。
【００１３】
また、この時計ケース１には、図１に示すように、アラーム装置６が搭載されている。このアラーム装置６は、図１〜図３に示すように、アラーム音を放音するスピーカ７と、このスピーカ７を搭載してスピーカ７の向きを移動可能に変更する移動機構部８と、スピーカ７および移動機構部８を覆って保護するカバー部材９とを備え、時計ケー１の下面に設けられている。
【００１４】
スピーカ７は、図２および図３に示すように、発生したアラーム音を特定の方向のみに、広がりをもたずに、放音する狭指向性を有するものである。移動機構部８は、ベース部材１０と、このベース部材１０に搭載されて第１モータ１１によって水平方向に回転移動する第１移動ユニット１２と、この第１移動ユニット１２に搭載されて第２モータ１３によって上下方向に回転移動する第２移動ユニット１４とを備えている。
【００１５】
この場合、スピーカ７は、図２および図３に示すように、第２移動ユニット１４に搭載され、第１、第２の各移動ユニット１２、１４によって水平方向（左右方向）および上下方向に移動して、アラーム音を放音する放音部７ａの向きが上下左右の任意の方向に自由に変わるように構成されている。
【００１６】
また、カバー部材９は、図１および図２に示すように、半球形状に形成されて、第１移動ユニット１２に搭載され、この第１移動ユニット１２によって水平方向のみに回転移動するように構成されている。このため、このカバー部材９には、図２に２点鎖線で示すように、スピーカ７の放音部７ａが対応する放音孔９ａが半球形状の球面における上下方向に沿って細長く形成されている。
【００１７】
ところで、移動機構部８は、ベース部材１０によって時計ケース１の下面に取り付けられるように構成されている。すなわち、ベース部材１０は、図２および図３に示すように、時計ケース１の下面に取り付けられるものであり、円板状に形成されている。このベース部材１０の中心部には、固定軸１０ａがカシメ加工によって下側に突出した状態で設けられている。
【００１８】
このベース部材１０には、図２および図３に示すように、第１モータ１１が搭載されている。この第１モータ１１は、１パルスごとに所定角度だけ回転するステップモータである。この第１モータ１１の下端部に位置する出力軸には、図２および図３に示すように、第１駆動ギア１１ａが設けられている。
【００１９】
また、この第１モータ１１の下端部には、取付部材１５が取り付けられている。これにより、この第１モータ１１は、第１駆動ギア１１ａがベース部材１０のギア挿入孔１０ｂに上方から挿入して下側に突出し、この状態で取付部材１５がビス１５ａによってベース部材１０上に取り付けられている。
【００２０】
第１移動ユニット１２は、図２および図３に示すように、第１モータ１１によって回転する第１ギア１６と、この第１ギア１６と共に回転する第１フレーム１７とを備えている。第１ギア１６は、その中心部に設けられた軸受け部１６ａがベース部材１０の固定軸１０ａに回転自在に取り付けられている。また、この第１ギア１６は、その外周部の歯部に第１モータ１１の第１駆動ギア１１ａが噛み合っていることにより、第１モータ１１の回転に応じてベース部材１０の固定軸１０ａを中心に水平方向に回転するように構成されている。
【００２１】
また、この第１移動ユニット１２の第１フレーム１７は、図３に示すように、第１ギア１６の下面にビス１８ａによって取り付けられる水平板部１８と、この水平板部１８の一端部（図３では左端部）に折り曲げによって設けられた垂直板部１９とを備え、これらが金属板によって一体に形成された構成になっている。
【００２２】
水平板部１８は、図３に示すように、第１ギア１６と共に水平方向に回転する部分であり、その中心部には、ベース部材１０の固定軸１０ａが挿入する軸挿入孔１８ｂが設けられている。これにより、水平板部１８は、軸挿入孔１８ｂに挿入して下側に突出した固定軸１０ａの下端部に抜け止めリング２０が取り付けられることにより、固定軸１０ａを中心に第１ギア１６と共に回転するように構成されている。
【００２３】
また、垂直板部１９は、図２および図３に示すように、水平板部１８の回転に伴って水平方向に回転移動する部分である。この垂直板部１９の中心部には、支持軸２１がカシメ加工によって、ベース部材１０の固定軸１０ａの軸方向と直交する方向に向けてほぼ水平な状態で、固定軸１０ａの下側に位置して取り付けられている。
【００２４】
この第１フレーム１７には、図２および図３に示すように、第２モータ１３が搭載されている。この第２モータ１３も、第１モータ１１と同様、１パルスごとに所定角度だけ回転するステップモータである。この第２モータ１３の一端部（図３では左端部）に位置する出力軸には、第２駆動ギア１３ａが設けられている。
【００２５】
また、この第２モータ１３の一端部（図３では左端部）には、図２および図３に示すように、取付部材２２が取り付けられている。これにより、この第２モータ１３は、第２駆動ギア１３ａが支持軸２１の上方に位置して支持軸２１と平行な状態で、取付部材２２がビス２２ａによって水平板部１８の下面に取り付けられている。
【００２６】
一方、第２移動ユニット１４は、図２および図３に示すように、第２モータ１３によって回転する第２ギア２３と、この第２ギア２３と共に回転する第２フレーム２４とを備えている。第２ギア２３は、その中心部に設けられた軸受け部２３ａが第１フレーム１７の垂直板部１９の支持軸２１に回転自在に取り付けられている。
【００２７】
また、この第２ギア２３は、図２および図３に示すように、その外周部における上部に位置する歯部に第２モータ１３の第２駆動ギア１３ａが噛み合っていることにより、第２モータ１３の回転に応じて第１フレーム１７の支持軸２１を中心に上下方向に回転するように構成されている。
【００２８】
この第２移動ユニット１４の第２フレーム２４は、図３に示すように、第２ギア２３の一側面（図３では右側面）にビス２５ａによって取り付けられる垂直板部２５と、この垂直板部２５の一端部（図３では下端部）に折り曲げによって設けられた水平板部２６とを備え、これらが金属板によって一体に形成された構成になっている。
【００２９】
垂直板部２５は、図３に示すように、第２ギア２３と共に上下方向に回転する部分であり、その中心部には、第１フレーム１７の支持軸２１が挿入する軸挿入孔２５ｂが設けられている。これにより、垂直板部２５は、軸挿入孔２５ｂに挿入してベース部材１０の固定軸１０ａの下側に突出した支持軸２１の先端部（図３では右端部）に抜け止めリング２７が取り付けられることにより、支持軸２１を中心に第２ギア２３と共に回転可能に取り付けられている。
【００３０】
また、水平板部２６は、図２および図３に示すように、垂直板部２５の回転に伴って上下方向に回転移動する部分である。この水平板部２６の中心部には、スピーカ７が水平板部２６に対して垂直な状態で挿入するスピーカ挿入孔２６ａが設けられている。この水平板部２６には、そのスピーカ挿入孔２６ａ内に垂直な状態で挿入したスピーカ７がビス２６ｂによって取り付けられている。この場合、スピーカ７は、その放音部７ａが水平板部２６の下側に向けて突出した状態で取り付けられている。
【００３１】
これにより、移動機構部８は、図２および図３に示すように、第１モータ１１が回転すると、その回転に伴って第１移動ユニット１２の第１ギア１６が第１フレーム１７と共にベース部材１０の固定軸１０ａを中心に水平方向に回転し、この第１ギア１６および第１フレーム１７の回転に伴って第２移動ユニット１４が水平方向に回転移動し、この第２移動ユニット１４の回転移動によって、ベース部材１０の固定軸１０ａを中心として、スピーカ７を水平方向（左右方向）に回転移動させるように構成されている。
【００３２】
また、この移動機構部８は、図２および図３に示すように、第２モータ１３が回転すると、その回転に伴って第２移動ユニット１４の第２ギア２３が第２フレーム２４と共に第１フレーム１７の支持軸２１を中心に上下方向に回転し、この第２ギア２３および第２フレーム２４の回転に伴って第２移動ユニット１４が上下方向に回転移動し、この第２移動ユニット１４の回転移動によって、第１フレーム１７の支持軸２１を中心として、スピーカ７を上下方向に回転移動させるように構成されている。
【００３３】
ところで、この移動機構部８には、図２〜図４に示すように、スピーカ７の基準位置を光学的に検出する基準位置検出部２８が設けられている。基準位置検出部２８は、スピーカ７が搭載された第２移動ユニット１４に設けられた第１光学部３０と、第１移動ユニット１２を搭載するためのベース部材１０に設けられた第２光学部３１とを備えている。第１光学部３０は、センサー基板３２上に発光素子３３と受光素子３４とを設けたセンサーユニットである。
【００３４】
この第１光学部３０は、図２〜図４に示すように、スピーカ７に隣接する第２移動ユニット１４の箇所、例えば第２フレーム２４における水平板部２６の取付部２９にセンサー基板３２がビス３２ａによって取り付けられた構成になっている。第２光学部３１は、反射部であり、ベース部材１０の固定軸１０ａを挟んで第１モータ１１と反対側に位置するベース部材１０の箇所に設けられている。
【００３５】
これにより、基準位置検出部２８は、図４に示すように、第２フレーム２４に設けられた第１光学部３０の発光素子３３と受光素子３４とがほぼ真上を向いて、ベース部材１０に設けられた第２光学部３１に対向したときに、発光素子３３で発光した光がその上方に位置する第２光学部３１で反射され、この反射された光が受光素子３４で受光され、この受光素子３４が反射光を受光した位置をスピーカ７の基準として検出するように構成されている。
【００３６】
この場合、基準位置におけるスピーカ７の向き、つまり放音部７ａから放音されるアラーム音の方向は、図１および図２に示すように、時計ケース１の下面から時計ケース１の前方に向けてほぼ水平な方向であり、スピーカ７のアラーム音を部屋内の反対側に位置する壁に向けて放音させるようになっている。
【００３７】
これにより、スピーカ７は、基準位置の状態で、第１モータ１１が正方向と逆方向とのいずれかの方向に回転すると、スピーカ７の向きが部屋の中心部から左右方向（時計ケース１に対する左右方向）のいずれかの方向に向き、また基準位置の状態で、第２モータ１３が正方向と逆方向とのいずれかの方向に回転すると、スピーカ７の向きが部屋内における前後方向（時計ケース１に接近または離れる方向）のいずれかの方向に向くように構成されている。
【００３８】
このため、スピーカ７は、基準位置の状態で、第１、第２の各モータ１１、１３が正方向と逆方向とのいずれかの方向に回転すると、スピーカ７の向きが部屋における左右前後の斜め方向に向き、アラーム音を部屋内の全域におけるいずれかの箇所に向けて放音させるように構成されている。
【００３９】
次に、この掛け時計の回路構成について、図５に示されたブロック図を参照して説明する。
この掛け時計は、ＣＰＵ（中央演算処理装置）などを内蔵して時計の全体的な統括制御を行う制御部４０と、この制御部４０のＣＰＵに作業用のメモリ空間を提供するＲＡＭ（ランダム・アクセス・メモリ）４１と、制御部４０のＣＰＵにより実行される種々のプログラムや初期設定データなどを格納するＲＯＭ（リード・オンリー・メモリ）４２とを備えている。
【００４０】
また、この掛け時計は、一定周波数の発振信号を生成して出力する発振回路４３と、この発振回路４３から入力された発振信号を分周して時刻表示などの運針の基準となる周波数信号を生成する分周回路４４と、制御部４０からの制御信号に基づいて時針２ａ、分針２ｂ、秒針２ｃなどの指針２を運針する時計機構部（図示せず）の指針モータ４５を駆動するための指針モータ駆動回路４６とを備えている。
【００４１】
また、この掛け時計は、リモコン（図示せず）の操作に応じてアラーム時刻などの情報を受信するリモコン受信部４と、このリモコン受信部４で受信したアラーム情報や現在時刻などの各種の情報を表示する表示部５と、予め設定されたアラーム時刻にアラーム音を発生する狭指向性のスピーカ７と、このスピーカ７の放音部７ａの位置を検出する基準位置検出部２８とを備えている。
【００４２】
さらに、この掛け時計は、予め設定されたアラーム時刻に応じて第１モータ１１を駆動させてスピーカ７の水平方向の向きを変更する第１モータ駆動回路４７と、予め設定されたアラーム時刻に応じて第２モータ１３を駆動させてスピーカ７の上下方向の向きを変更する第２モータ駆動回路４８とを備えている。
【００４３】
そして、この掛け時計の回路を構成する制御部４０、ＲＡＭ４１、ＲＯＭ４２、発振回路４３、分周回路４４、指針モータ駆動回路４６、リモコン受信部４、表示部５、スピーカ７、基準位置検出部２８、第１モータ駆動回路４７、第２モータ駆動回路４８のすべては、バスライン４９によって電気的に接続されている。
【００４４】
ところで、ＲＡＭ４１には、図６に示すように、各種の情報を記憶するエリアのうち、１番目〜ｎ番目までの複数のアラーム情報（１）〜（ｎ）をそれぞれ記憶する複数のメモリエリアが設けられている。この複数のメモリエリアにそれぞれ記憶される１番目〜ｎ番目の各アラーム情報は、それぞれ第１〜第ｎの各アラーム時刻、第１〜第ｎの各アラーム音量、第１モータ１１における第１〜第ｎの各回転方向、第１モータ１１における第１〜第ｎの各駆動パルス数（回転量）、第２モータ１３における第１〜第ｎの各回転方向、第２モータ１３における第１〜第ｎの各駆動パルス数（回転量）などである。
【００４５】
次に、この指針式の掛け時計の動作手順について、図７〜図１１に示す動作フローを参照して説明する。この場合、図７は制御部４０により実行される時針２ａ、分針２ｂ、秒針２ｃなどの指針２の駆動制御における動作フローを示す図である。
この制御部４０による処理は、分周回路４５から制御部４０に入力する１Ｈｚ（ヘルツ）の信号に基づいて制御部４０により開始される割り込み処理である。
【００４６】
この割り込み処理は、秒針２ｃの駆動タイミングに呼び出されて開始されると、ステップＳ１で計時処理を行う。すなわち、ＲＡＭ４１に記憶されている現在時刻データに＋１秒して現在時刻データを更新する。制御部４０の処理がステップＳ２に移行すると、制御部４０は、駆動パルスを指針モータ４６に供給するように、指針モータ駆動回路４７に指令を送り、指針モータ４６を１ステップ回転させる。
【００４７】
これにより、指針モータ４６の回転が秒針２ｃに伝達されて、秒針２ｃが１ステップ回転する。このステップＳ１からステップＳ２の動作を順次繰り返すことにより、秒針２ｃ、分針２ｂ、時針２ａが運針して、現在時刻を指示する。このステップＳ１からステップＳ２の動作を繰り返す。
【００４８】
次に、この掛け時計のアラーム処理について、図８に示す動作フローを参照して説明する。
このアラーム処理が開始すると、ステップＳ１０でリモコンの操作によってリモコン受信部４がアラーム設定の指示を受信したか否かを判断する。
【００４９】
このステップＳ１０で、リモコン受信部４がアラーム設定の指示を受信すると、ステップＳ１１進んで、リモコンの操作による情報に基づいてアラーム設定処理を行い、ステップＳ１２に進んで、再びリモコンの操作によってリモコン受信部４がアラーム設定の指示を受信したか否かを再度判断する。
【００５０】
このステップＳ１２で、リモコンの操作によってリモコン受信部４がアラーム設定の指示を受信したと判断すると、ステップＳ１１に戻り、前回と異なるアラーム設定処理を行う。このとき、例えば掛け時計が設置された部屋に家族などの複数の人が就眠する場合、その複数の人ごとに、それぞれアラーム設定処理を行う。そして、ステップＳ１２で、リモコンの操作によってリモコン受信部４がアラーム設定の指示を受信していなければ、ステップＳ１３に進んで、リモコンの操作によってリモコン受信部４にアラーム設定の解除指示が与えられたか否かを判断する。
【００５１】
このステップＳ１３で、リモコン受信部４に解除指示が与えられていなければ、ステップＳ１２に戻り、リモコン受信部４に解除指示が与えられるまで、アラーム設定処理を繰り返し、リモコン受信部４に解除指示が与えられると、アラーム設定処理を終了して、ステップＳ１４に進んで、アラーム装置６のスピーカ７を基準位置に移動させるイニシャル処理を行い、再びステップＳ１０に戻る。
【００５２】
そして、ステップＳ１０で、再びリモコンの操作によってリモコン受信部４がアラーム設定の指示を受信したか否かを判断し、リモコン受信部４がアラーム設定の指示を受信していないと判断すると、ステップＳ１５に進み、アラーム設定処理で設定された複数のアラーム時刻を表示部５に順次表示させてアラーム設定時刻を確認する。
【００５３】
この後、ステップＳ１６に進んで、現在時刻が設定された複数のアラーム時刻のいずれかと一致したか否かを判断する。このとき、現在時刻が予め設定された複数のアラーム時刻のいずれにも一致していなければ、ステップＳ１０に戻り、ステップＳ１０〜ステップＳ１６の動作を繰り返し、ステップＳ１６で、現在時刻が予め設定された複数のアラーム時刻のいずれかに一致すれば、ステップＳ１７に進んで、スピーカ７からアラーム音を放音させるアラーム報知処理を行い、ステップＳ１０に戻る。
【００５４】
次に、アラーム設定処理について、図９に示す動作フローを参照して説明する。
このアラーム設定処理は、リモコン受信部４がリモコンの操作による情報を受信した際に、リモコンの操作による情報に基づいてアラームの設定を行う処理である。この処理が開始すると、ステップＳ２０でＲＡＭ４１のメモリエリアを確保し、ステップＳ２１に進んで、リモコンの操作によってリモコン受信部４が受信したアラーム時刻や、アラーム音量のアラーム情報を取り込み、ステップＳ２２に進み、取り込んだアラーム情報をＲＡＭ４１の所定のメモリエリアに格納する。
【００５５】
そして、ステップＳ２３に進んで、アラーム装置６のスピーカ７を基準位置に移動するイニシャル処理を行い、ステップＳ２４でリモコン操作によってリモコン受信部４が受信したスピーカ７の向きを読み込む。このときには、使用者が就眠する場所でリモコンを操作し、スピーカ７を使用者自身に向ける。このときのリモコンの操作によるスピーカ７の回転方向の情報、つまり第１、第２の各モータ１１、１３の回転方向、例えば正回転方向と逆回転方向とのいずれかを読み込む。
【００５６】
この後、ステップＳ２５に進んで、読み込んだスピーカ７の回転方向に向けて第１、第２の各モータ１１、１３をリモコン操作によって回転させるために、第１、第２の各モータ１１、１３にそれぞれ駆動パルスを供給し、ステップＳ２６で第１、第２の各モータ１１、１３に供給した駆動パルス数をカウントする。
【００５７】
そして、ステップＳ２７に進んで、リモコン操作によってリモコン受信部４がスピーカ７の移動停止の指示を受信したか否かを判断する。このステップＳ２７で、リモコン受信部４がスピーカ７の移動停止の指示を受信していなければ、ステップＳ２５に戻り、リモコン操作によってスピーカ７が使用者自身の方向に向くまで、第１、第２の各モータ１１、１３に供給する駆動パルス数をカウントし続ける。
【００５８】
また、ステップＳ２７で、リモコン受信部４がスピーカ７の移動停止の指示を受信すると、ステップＳ２８に進んで、指定されたスピーカ７の向きに相当する第１、第２の各モータ１１、１３の各回転方向、および第１、第２の各モータ１１、１３に供給した各駆動パルス数をＲＡＭ４１の所定メモリエリアに格納し、このアラーム設定処理を終了してアラーム処理に戻る。
【００５９】
次に、アラーム装置６のイニシャル処理について、図１０に示す動作フローを参照して説明する。
このイニシャル処理は、基準位置検出部２８によってスピーカ７の基準位置を検出して、スピーカ７を基準位置に移動させる処理である。この場合、基準位置は、移動機構部８の第２移動ユニット１４に搭載された第１光学部３０が最上部に位置して、移動機構部８のベース部材１０に設けられた第２光学部３１のほぼ真下に対向した位置である。
【００６０】
この基準位置を検出するイニシャル処理が開始すると、ステップＳ３０で基準位置検出部２８の第１光学部３０の発光素子３３を発光させ、ステップＳ３１に進み、発光素子３３で発光した光が第２光学部３１で反射され、その反射光を第１光学部３０の受光素子３４が受光したか否かを判断する。このステップＳ３１で発光した光の反射光を受光素子３４が受光していなければ、スピーカ７が基準位置にないと判断し、ステップＳ３２に進んで、第２モータ１３に駆動パルスを供給して、第１光学部３０を最上部に向けて移動させる。
【００６１】
そして、ステップＳ３３に進み、発光素子３３で発光した光の反射光を受光素子３４が受光したか否かを判断し、このステップＳ３３で発光した光の反射光を受光素子３４が受光していなければ、ステップＳ３４に進んで、第１モータ１１に駆動パルスを供給して第１光学部３０を左右方向に１往復移動させ、ステップＳ３１に戻り、発光素子３３で発光した光の反射光を受光素子３４が受光するまで、ステップＳ３１〜ステップＳ３４の動作を繰り返す。
【００６２】
すなわち、ステップＳ３２で第２モータ１３に駆動パルスを供給して第１光学部３０を最上部に向けて移動させ、ステップＳ３４で第１モータ１１に駆動パルスを供給して第１光学部３０を水平方向に１往復移動させると、発光素子３３と受光素子３４とを有する第１光学部３０と反射部である第２光学部３１とが必ず対向する。
【００６３】
これにより、ステップＳ３１またはステップＳ３３において、発光素子３３からの光を第２光学部３１で反射し、その反射光を受光素子３４が受光して、スピーカ７が基準位置にあると判断し、ステップＳ３５に進んで、発光素子３３の発光を停止させて、このイニシャル処理を終了し、アラーム処理またはアラーム設定処理に戻る。
【００６４】
次に、アラーム報知処理について、図１１に示す動作フローを参照して説明する。
このアラーム報知処理は、現在時刻がアラーム時刻と一致した際に、動作を開始する。この処理動作を開始すると、ステップＳ４０でイニシャル処理を行ってスピーカ７を基準位置に移動させ、ステップＳ４１に進んで、現在時刻と一致したアラーム時刻に対応するアラーム情報をＲＡＭ４１から読み出す。
【００６５】
このときには、アラーム情報のうち、現在時刻と一致したアラーム時刻に対応する第１、第２の各モータ１１、１３の各回転方向、および第１、第２の各モータ１１、１３の各駆動パルス数である。そして、ステップＳ４２に進んで、読み出した第１、第２の各モータ１１、１３の各回転方向、および第１、第２の各モータ１１、１３の各駆動パルス数に基づいて、第１、第２の各モータ１１、１３を駆動させ、スピーカ７を移動させてスピーカ７の向きを現在時刻と一致したアラーム時刻に起床する人に向ける。
【００６６】
そして、ステップＳ４３で第１、第２の各モータ１１、１３の動作が終了したか否かを判断する。このステップＳ４３で第１、第２の各モータ１１、１３の動作が終了していなければ、ステップＳ４２に戻って、スピーカ７の向きを現在時刻と一致したアラーム時刻に起床する人に向くまで第１、第２の各モータ１１、１３を動作させる。
【００６７】
このステップＳ４３で第１、第２の各モータ１１、１３を動作が終了して、スピーカ７の向きを現在時刻と一致したアラーム時刻に起床する人に向いていると判断すると、ステップＳ４４に進んで、現在時刻と一致したアラーム時刻に対応するアラーム音量をＲＡＭ４１から読み出し、ステップＳ４５に進んで、スピーカ７からアラーム音をステップＳ４４で読み出したアラーム音量で発生させる。
【００６８】
このときには、スピーカ７が、アラーム音を現在時刻と一致したアラーム時刻に起床する人に向けて所定時間だけ狭指向性をもって放音し、このアラーム報知処理を終了し、アラーム処理に戻る。この場合には、部屋の中に家族などの複数の人が就眠しても、現在時刻と一致したアラーム時刻に起床する人以外の人に迷惑をかけずに、現在時刻と一致したアラーム時刻に起床する人のみにアラーム音を聞かせて起床させることができる。
【００６９】
このように、この掛け時計のアラーム装置６によれば、狭指向性をもってアラーム音を放音するスピーカ７と、このスピーカ７を搭載してスピーカ７の向きを移動可能に変更する移動機構部８と、予め設定されたアラーム時刻に移動機構部８を駆動させてスピーカ７を予め設定された向きに向け、この状態でスピーカ７からアラーム音を発生させる指示をする制御部４０とを備えていることにより、同室の複数の人のうち、特定の人のみを選択してアラーム音を聞かせることができる。
【００７０】
すなわち、このアラーム装置６では、予め定められたアラーム時刻になると、制御部４０が移動機構部８を駆動させてスピーカ７を予め設定された向きに向け、この状態で狭指向性をもってスピーカ７からアラーム音を放音することができる。このため、複数の人が同じ部屋で就眠していても、他の人に迷惑をかけずに、特定の人のみを選択し、この選択した人のみにアラーム音を聞かせることができる。
【００７１】
この場合、移動機構部８は、ベース部材１０と、このベース部材１０に搭載されて第１モータ１１によって水平方向に回転移動する第１移動ユニット１２と、この第１移動ユニット１２に搭載されて第２モータ１３によって上下方向に回転移動する第２移動ユニット１４とを備え、この第２移動ユニット１４にスピーカ７が搭載されていることにより、第１、第２の各モータ１１、１３の回転によって第１、第２の各移動ユニット１２、１４をそれぞれ回転移動させることができ、これによりスピーカ７を任意の方向に自由に回転移動させて、スピーカ７の向きを自由に変更することができる。
【００７２】
すなわち、この移動機構部８は、第１モータ１１を回転させると、これに伴って第１移動ユニット１２がベース部材１０に対して水平方向に回転移動するので、スピーカ７を水平方向（つまり左右方向）に回転させることができ、また第２モータ１３を回転させると、これに伴って第２移動ユニット１４が上下方向に回転移動するので、スピーカ７を上下方向に回転させることができ、これによりスピーカ７を上下左右の任意の方向に自由に回転移動させて、スピーカ７の向きを自由に変更することができる。
【００７３】
また、このアラーム装置６は、移動機構部８に搭載されたスピーカ７の基準位置を光学的に検出する基準位置検出部２８を備えていることにより、基準位置検出部２８によってスピーカ７を基準位置に正確に且つ確実に移動させることができ、これによりスピーカ７を基準位置から正確に移動させてスピーカ７の向きを自由に変更することができると共に、スピーカ７の向きをアラーム時刻に起床する特定の人に正確に且つ確実に向けることができる。
【００７４】
この場合、基準位置検出部２８は、スピーカ７が搭載された第２移動ユニット１４に設けられた第１光学部３０と、第１移動ユニット１２が搭載されるベース部材１０に設けられた第２光学部３１とを備えていることにより、第２移動ユニット１４の第１光学部３０とベース部材１０の第２光学部３１とによってスピーカ７を基準位置に正確に且つ確実に移動させることができ、これによりスピーカ７を基準位置から任意の方向に自由に回転移動させて、スピーカ７の向きを自由に変更させることができる。
【００７５】
すなわち、第１光学部３０は、センサー基板３２上に発光素子３３と受光素子３４とを設けた構成であり、また第２光学部３１は反射面を有する反射部であるので、第１光学部３０の発光素子３３を発光させながら、移動機構部８の第１移動ユニット１２を水平方向に回転移動させると共に、第２移動ユニット１４を上下方向に回転移動させることにより、発光素子３３の光を第２光学部３１が反射し、この反射光を第１光学部３０の受光素子３４が受光したときに、その受光位置がスピーカ７の基準位置として正確に特定することができる。
【００７６】
また、このアラーム装置６では、予め設定された複数のアラーム時刻と、この複数のアラーム時刻のそれぞれに対応するスピーカ７の向きを変更するためのスピーカ７の複数の移動情報とを、複数のアラーム時刻ごとにそれぞれ記憶する記憶部であるＲＡＭ４１を備えているので、１つの部屋に家族などの複数の人が就眠している際に、その複数の人の各起床時間に応じたアラーム情報をそれぞれ個別に登録することができる。
【００７７】
また、このアラーム装置６では、遠隔操作部であるリモコンの操作に応じて送信されたアラーム時刻およびスピーカ７の向きを変更するためのスピーカ７の移動情報を取込むリモコン受信部４を備えているので、リモコン操作の遠隔操作による複数のアラーム時刻やスピーカ７の複数の移動情報をリモコン受信部４によって簡単に且つ容易に受信して取り込むことができ、これにより使い勝手の良いものを提供することができる。
【００７８】
さらに、このアラーム装置６では、制御部４０が、現在時刻と複数のアラーム時刻のいずれかが一致した際に、記憶部であるＲＡＭ４１に記憶された現在時刻と一致するアラーム時刻に対応するスピーカ７の移動情報を読み出し、この読み出した移動情報に基づいて第１、第２の各モータ１１、１３を駆動させて、スピーカ７を現在時刻と一致するアラーム時刻に対応する向きに向け、この状態でスピーカ７からアラーム音を発生させるので、１つの部屋に家族などの複数の人が就眠していても、その複数の人の各起床時間に応じてアラーム音をそれぞれ個別に放音させて、複数の人それぞれに個別にアラーム音を聞かせることができる。
【００７９】
（実施形態２）
次に、図１２および図１３を参照して、この発明を指針式の掛け時計に適用した実施形態２について説明する。なお、図１〜図１１に示された実施形態１と同一部分には同一符号を付して説明する。
この掛け時計は、図１２に示すように、アラーム装置２の基準位置検出部５０が実施形態１と異なる構成であり、これ以外は実施形態１とほぼ同じ構成になっている。
【００８０】
すなわち、この基準位置検出部５０は、図１２に示すように、スピーカ７が搭載された第２移動ユニット１４に設けられた第１光学部３０と、第１移動ユニット１２を搭載するためのベース部材１０に設けられた第２光学部５１とを備えている。第１光学部３０は、実施形態１と同様、センサー基板３２上に発光素子３３と受光素子３４とを設けたセンサーユニットである。
【００８１】
第２光学部５１は、ベース部材１０の上下に貫通して光を透過する透孔であり、実施形態１と同様、ベース部材１０の固定軸１０ａを挟んで第１モータ１１と反対側に位置するベース部材１０の箇所に設けられている。これにより、基準位置検出部５０は、図１２において、第２フレーム２４に設けられた第１光学部３０の発光素子３３と受光素子３４とがほぼ真上を向いて、ベース部材１０に設けられた第２光学部５１に対向したときに、発光素子３３で発光した光がその上方に位置する第２光学部５１の透孔を透過して、受光素子３４が反射光を受光しない位置をスピーカ７の基準として検出するように構成されている。
【００８２】
すなわち、この基準位置検出部５０は、図１２において、第２フレーム２４に設けられた第１光学部３０の発光素子３３と受光素子３４とがほぼ真上を向いても、ベース部材１０に設けられた第２光学部５１に対向しないときに、発光素子３３で発光した光がその上方に位置するベース部材１０で反射され、その反射光を受光素子３４が受光し、この状態で第１、第２の各モータ１１、１３を駆動させて第２フレーム２４を上下左右方向に移動させることにより、第１光学部３０が第２光学部５１に対向したときに、発光素子３３で発光した光が第２光学部５１の透孔を透過して、受光素子３４が反射光を受光しない位置をスピーカ７の基準として検出するように構成されている。
【００８３】
この場合、第２光学部５１の透孔は、第１光学部３０が上方に移動してほぼ真上に位置した状態で、第１光学部３０が水平方向に回転移動する軌跡上に位置するペース部材１０の箇所に設けられている。このため、基準位置検出部５０は、第２モータ１３によって第２移動ユニット１４が上方に向けて最も回転移動した際に、第１光学部３０が真上を向き、この状態で第１モータ１１によって第１移動ユニット１２を水平方向に回転させることにより、スピーカ７の基準位置を検出するように構成されている。
【００８４】
これにより、基準位置におけるスピーカ７の向き、つまり放音部７ａから放音されるアラーム音の方向は、実施形態１と同様、時計ケース１の下面から時計ケース１の前方に向けてほぼ水平な方向であり、スピーカ７のアラーム音を部屋内の反対側に位置する壁に向けて放音させるようになっている。
【００８５】
次に、このような基準位置検出部５０によってスピーカ７の基準位置を検出するイニシャル処理について、図１３に示す動作フローを参照して説明する。
このイニシャル処理が開始すると、ステップＳ５０で基準位置検出部５０の第１光学部３０の発光素子３３を発光させ、ステップＳ５１に進み、発光素子３３で発光した光の反射光を第１光学部３０の受光素子３４が受光したか否かを判断する。
【００８６】
このステップＳ５１で発光した光の反射光を受光素子３４が受光していなければ、第１光学部３０が真上を向いてベース部材１０に対面していないと判断し、ステップＳ５２に進んで、第２モータ１３に駆動パルスを供給して、第２移動ユニット１４を上方に向けて回転移動させ、第１光学部３０を上方に向けて移動させる。そして、ステップＳ５１に戻り、再び発光素子３３で発光した光の反射光を第１光学部３０の受光素子３４が受光したか否かを判断する。
【００８７】
このとき、ステップＳ５１で発光した光の反射光を受光素子３４が受光していなければ、第１光学部３０が真上を向いてベース部材１０に対面するまで、第２モータ１３に駆動パルスを供給する。そして、第１光学部３０が真上を向いてベース部材１０に対面し、この状態で発光した光がベース部材１０で反射され、その反射光を受光素子３４が受光すると、ステップＳ５３に進み、再び発光素子３３で発光した光の反射光を第１光学部３０の受光素子３４が受光したか否かを判断する。
【００８８】
すなわち、このステップＳ５３では、第２光学部５１が光を透過する透孔であることにより、発光素子３３で発光した光が第２光学部５１の透孔を透過して反射されず、受光素子３４が反射光を受光しない状態であるか否かを判断する。このステップＳ５３で、受光素子３４が光を受光すると、第１光学部３０が第２光学部５１に対応していないと判断し、ステップＳ５４に進んで、第１モータ１１に駆動パルスを供給して第１光学部３０を左右方向に移動させる。
【００８９】
この後、ステップＳ５３に戻り、発光素子３３で発光した光の反射光を受光素子３４が受光しなくなるまで、ステップＳ５３〜ステップＳ５４の動作を繰り返す。そして、ステップＳ５３で、発光素子３３からの光が反射されず、受光素子３４が反射光を受光しなければ、第１光学部３０が第２光学部５１に対応して、スピーカ７が基準位置にあると判断し、ステップＳ５５に進んで、発光素子３３の発光を停止させて、このイニシャル処理を終了し、上述した実施形態１のアラーム処理またはアラーム設定処理に戻る。
【００９０】
このように、この実施形態２における掛け時計のアラーム装置６によれば、移動機構部８に搭載されたスピーカ７の基準位置を光学的に検出する基準位置検出部５０を備えていることにより、実施形態１と同様、基準位置検出部５０によってスピーカ７を基準位置に正確に且つ確実に移動させることができ、これによりスピーカ７を基準位置から正確に移動させてスピーカ７の向きを自由に変更することができると共に、スピーカ７の向きをアラーム時刻に起床する特定の人に正確に且つ確実に向けることができる。
【００９１】
この場合、基準位置検出部５０は、スピーカ７が搭載された第２移動ユニット１４に設けられた第１光学部３０と、第１移動ユニット１２が搭載されるベース部材１０に設けられた第２光学部５１とを備えていることにより、第２移動ユニット１４の第１光学部３０とベース部材１０の第２光学部５１とによってスピーカ７を基準位置に正確に且つ確実に移動させることができ、これによりスピーカ７を基準位置から任意の方向に自由に回転移動させて、スピーカ７の向きを自由に変更させることができる。
【００９２】
すなわち、第１光学部３０は、実施形態１と同様、センサー基板３２上に発光素子３３と受光素子３４とを設けた構成であり、また第２光学部５１はベース部材１０に設けられて光を透過する透孔であるので、第１光学部３０の発光素子３３を発光させながら、移動機構部８の第２移動ユニット１４を上下方向に回転移動させた後に、第１移動ユニット１２を水平方向に回転移動させることにより、発光素子３３の光が第２光学部５１を透過して反射光を第１光学部３０の受光素子３４が受光しないたときに、その位置をスピーカ７の基準位置として正確に特定することができる。
【００９３】
この場合、第２光学部５１は、ベース部材１０に設けられて光を透過する透孔であり、ベース部材１０に上下に貫通する孔を設けるだけで良いので、実施形態１の第２光学部３１のように、ベース部材１０に反射部を設ける場合に比べて、その構造が簡単で、製作も容易にでき、より一層の低コスト化を図ることができる。
【００９４】
なお、上述した実施形態１、２では、基準位置検出部２８、５０が、移動機能部８の第２移動ユニット１４に搭載された第１光学部３０と、ベース部材１０に搭載された第２光学部３１、５１とを備え、第１光学部３０が発光素子３３と受光素子３４とを備え、第２光学部３１、５１が反射部または透孔である場合について述べたが、これに限らず、例えば第１光学部３０を発光素子３３のみで構成し、第２光学部３１、５１を受光素子３４で構成しても良い。
【００９５】
また、上述した実施形態１、２およびその変形例では、指針式の掛け時計に適用した場合について述べたが、必ずしも指針式の掛け時計である必要はなく、例えば目覚まし時計、置き時計などの各種の指針式の時計に適用することができるほか、必ずしも指針式の時計である必要はなく、時刻を表示パネルなどの平面型の表示部に表示するデジタル式の時計にも適用することができる。
【００９６】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９７】
（付記）
請求項１に記載の発明は、放音部と、前記放音部の放音方向を変更可能な駆動機構部と、予め設定されたアラーム時刻に、前記駆動機構部を駆動させることにより、前記放音部の放音方向を予め設定された方向に向けるとともに、当該放音部からアラーム音を発生させる指示をする制御部と、を備えていることを特徴とするアラーム装置である。
【００９８】
請求項２に記載の発明は、アラーム音を放音する放音部と、前記放音部の放音方向を変更可能な駆動機構部と、アラーム時刻と前記放音部の放音方向とを設定する設定手段と、この設定手段により設定されたアラーム時刻になったら、設定された放音方向に前記駆動機構部の駆動制御により駆動された放音部によりアラーム音を放音させる制御手段と、を備えていることを特徴とするアラーム装置である。
【００９９】
請求項３に記載の発明は、請求項１記載のアラーム装置において、前記制御部は、アラーム時刻設定に連動して、前記駆動機構部を駆動させて、前記放音部の放音方向を所定の基準方向から前記予め設定された方向に変更させることにより変更情報を取得し、その後前記放音方向を前記基準方向に戻すように前記駆動機構部を制御するとともに、前記設定されたアラーム時刻及び当該アラーム時刻に対応する変更情報を所定の記憶部に記憶させることを特徴とするアラーム装置である。
【０１００】
請求項４に記載の発明は、請求項１に記載のアラーム装置において、前記駆動機構部は、ベース部材と、このベース部材に搭載されて第１モータによって水平方向に回転移動する第１移動ユニットと、この第１移動ユニットに搭載されて第２モータによって上下方向に回転移動する第２移動ユニットとを備えており、この第２移動ユニットには、前記放音部が搭載されていることを特徴とするアラーム装置である。
【０１０１】
請求項５に記載の発明は、請求項３に記載のアラーム装置はさらに、前記駆動機構部に搭載された前記基準方向を検出する基準方向検出部を備え、前記基準方向検出部は、前記放音部が搭載された前記第２移動ユニットと、前記第１移動ユニットが搭載される前記ベース部材とが所定の位置関係になったこと検出することを特徴とするアラーム装置である。
【０１０２】
請求項６に記載の発明は、請求項３に記載のアラーム装置において、前記記憶部は、前記設定されたアラーム時刻及び当該アラーム時刻に対応する変更情報を複数記憶していることを特徴とするアラーム装置である。
【０１０３】
請求項７に記載の発明は、請求項３に記載のアラーム装置はさらに、外部より送信されたアラーム時刻を取込む受信部を備えていることを特徴とするアラーム装置である。
【０１０４】
請求項８に記載の発明は、請求項６のいずれかに記載のアラーム装置において、前記制御部は、現在時刻が前記複数のアラーム時刻のいずれかと一致した際に、前記記憶部から前記一致したアラーム時刻に対応する放音部の変更情報を読み出し、この読み出された前記変更情報に基づいて前記第１、第２の各モータを駆動させることにより、前記放音部を前記所定の基準方向から前記変更情報に対応する向きに変更するとともに、当該放音部からアラーム音を発生させることを特徴とするアラーム装置である。
【符号の説明】
【０１０５】
１  時計ケース
２  指針
３  文字板
４  リモコン受信部
５  表示部
６  アラーム装置
７  スピーカ
７ａ  放音部
８  移動機構部
１０  ベース部材
１１  第１モータ
１２  第１移動ユニット
１３  第２モータ
１４  第２移動ユニット
２８、５０  基準位置検出部
３０  第１光学部
３１、５１  第２光学部
３３  発光素子
３４  受光素子
４０  制御部
４１  ＲＡＭ
４２  ＲＯＭ
【図１】
0005861861.tif 000002
【図２】
0005861861.tif 000003
【図３】
0005861861.tif 000004
【図４】
0005861861.tif 000005
【図５】
0005861861.tif 000006
【図６】
0005861861.tif 000007
【図７】
0005861861.tif 000008
【図８】
0005861861.tif 000009
【図９】
0005861861.tif 000010
【図１０】
0005861861.tif 000011
【図１１】
0005861861.tif 000012
【図１２】
0005861861.tif 000013
【図１３】
0005861861.tif 000014